Podtech/llm-jp-corpus-v4-ja_patent huggingface dataset:
(57)【要約】      （修正有）【課題】洗濯物をハンガーごと物干し竿に掛けて干すとき、洗濯ハサミや補助用具を使わなくても、風による横ずれや、落下防止を解決するための物干し竿装置である。【解決手段】竿の本体を薄い板状にし、その板にハンガーを掛けるための穴を設ける。更に板状の竿の上部に丸型の屋根を設ける。このようにして出来た物干し竿を補助具Ａ、補助具Ｂを使って物干し台に安定させる。又、丸型の屋根を設けることで従来の丸棒型物干し竿の機能も有し、多機能型物干し竿として便利である。【選択図】          図１０
2004154380.tif 000002
【特許請求の範囲】
【請求項１】
（イ）「図１」の１薄い板状の竿全体にハンガー掛けの穴２を設ける。
（ロ）ハンガー掛けの穴をあけた竿の上部に丸型の屋根３を設ける。以上の如く構成された穴付物干し竿装置。
【請求項２】
穴付物干し竿を物干し台に安定させるための補助具として「図５」の（イ）補助具Ａと（ロ）補助具Ｂを設ける。（イ）の補助具Ａは物干し竿を通す円筒４に、竿の下部を通す溝５を設け、補助具Ｂとの接合部分６を設けたものから成る。（ロ）の補助具Ｂは物干し台に掛ける安定枠８に補助具Ａとの接合部分７を設けたものから成る。以上の如く構成された穴付物干し竿装置である。
【請求項３】
板状の竿の上部屋根の型は、「図１１」のように  きのこ型、かまぼこ型、駒型、Ｔ字型など従来の丸棒型物干し竿の機能を有する形であれば多種多様でよい。
【請求項４】
「図５」の（ロ）補助具Ｂの型も「図１２」のようにトンネル型など物干し台に安定させる機能を有していれば多種多様でよい。
【発明の詳細な説明】
【０００１】
【発明が属する技術分野】
本発明は、洗濯した物をハンガーに掛けたまま、ハンガーごと物干し竿に掛けてもハンガーが風で横にずれたり、落下することなく安心して物干しが出来る物干し竿を提供するもの。
【０００２】
【従来の技術】
従来の物干し竿は丸棒型の竿のため、洗濯した物をハンガーごと物干し竿に掛けてもハンガーが風で横にずれたり、落下するなど頭の痛い課題となっていた。
【０００３】
それで、風のあるときでもハンガーが横にズレたり、物干し竿から落下するのを防ぐために洗濯ハサミでハンガーを止めるなどして工夫しているが、風による横ズレ、落下の課題は解決されていない。
【０００４】
又、従来の丸棒型物干し竿に各種補助具を付けたりして工夫しているが、やはり課題は解決していない。
【０００５】
そこで、この解決策として物干し竿の型、そのものを変えて課題を解決しようと考案したもの。
【０００６】
【発明が解決しようとする課題】
解決しようとする課題は、洗濯物をハンガーごと物干し竿に掛けても、風で横にずれたり落下することのない物干し機能を有し、更に従来の丸棒型物干し竿の持っていた機能も有する新しい多機能型物干し竿装置を提供するもの。
【０００７】
【課題を解決するための手段】
課題を解決するための穴付物干し竿装置について図で説明すると、
（ィ）「図１」の如く竿を薄い板状にし、
（ロ）ハンガー掛けの穴２を設ける。
（ハ）板状の竿１の上部に丸型の屋根３を設ける。
（ニ）「図５」のような補助具ＡとＢを使って穴付物干し竿を物干し台に安定させる。
【０００８】
【発明の実施の形態】
「図１０」のように、穴付物干し竿装置を物干し台に安定させ、洗濯物を掛けたハンガーをハンガーごと物干し竿の穴にかける。これで作業は完了し風が吹いても横にずれたり、落下する心配はなく課題は解決される。
【０００９】
【発明の効果】
（ィ）洗濯物をハンガーに掛けたまま干すとき、従来の丸棒型物干し竿では、風でハンガーがずれたり、物干し竿からハンガーごと落下するため物干しの悩みの課題であった。このようなことを改善するため、洗濯ハサミで抑えたり種々補助具を使って試して見るが物干し作業が煩雑になるだけで課題は解決されていない。
（ロ）ところが本発明の物干し竿装置を使ってハンガーごと洗濯物を掛けると、洗濯ハサミなど落下防止の補助具を使わなくとも風でハンガーがずれたり、落下することはない。これで従来からの悩みの課題は解決される。
（ハ）更に「図１」「図３」「図４」のように薄く板状の物干し竿の上部の屋根を丸型に設けることで、従来の丸棒型物干し竿の機能も有し、ハンガー掛けとして使用しないときはシーツ、タオルなど多種多様の洗濯物を直接竿に掛けて干すことも出来る。つまり従来の物干し機能も有し多機能型物干し竿として便利である。
【図面の簡単な説明】
【図１】穴付物干し竿の斜視図
【図２】穴付物干し竿の側面図
【図３】穴付物干し竿の穴の部分の断面図
【図４】穴付物干し竿の穴でない部分の断面図
【図５】穴付物干し竿を物干し台に安定させるための（ィ）補助具Ａ（ロ）補助具Ｂ
【図６】補助具Ａと補助具Ｂを接合させた斜視図
【図７】補助具Ａと補助具Ｂを接合させた正面図
【図８】補助具Ａと補助具Ｂを接合させた側面図
【図９】穴付物干し竿にハンガーを掛けた実施図
【図１０】物干し台に安定させた穴付物干し竿装置の実施図
【図１１】穴付物干し竿の類似形
【図１２】補助具Ｂの類似形
【符号の説明】
１は板状の竿
２はハンガー掛けの穴
３は丸型の屋根
４は物干し竿を通す円筒
５は竿の下部を通す溝
６は補助具Ｂとの接合部分
７は補助具Ａとの接合部分
８は物干し台に掛ける安定枠
９は物干し台
【図１】
2004154380.tif 000003
【図２】
2004154380.tif 000004
【図３】
2004154380.tif 000005
【図４】
2004154380.tif 000006
【図５】
2004154380.tif 000007
【図６】
2004154380.tif 000008
【図７】
2004154380.tif 000009
【図８】
2004154380.tif 000010
【図９】
2004154380.tif 000011
【図１０】
2004154380.tif 000012
【図１１】
2004154380.tif 000013
【図１２】
2004154380.tif 000014
(57)【要約】【課題】鞄の置く場所に関係なく、前後左右への移動をおさえることが出来る事を可能とする。【解決手段】この発明は鞄などを置いた時に接する（１）の面に、滑り止めを施した素材（２）（２ａ）（２ｂ）（２ｃ）を（３）（３ａ）（３ｂ）（３ｃ）のように固定逢着する事により、前後左右への移動を制御することが出来る鞄を提供する。【選択図】  図１
2004154337.tif 000002
【特許請求の範囲】
【請求項１】
鞄の胴面（１）や（４）を下にして置いた時に接する面に、滑り止めを施した素材を逢着し、置いた状態で前後左右への力が加わった場合でも、鞄の移動をしにくくし、安定した状態を保持する事を特徴とする鞄。
【発明の詳細な説明】
【発明に属する技術分野】
この発明は鞄等を置いた時に、そこが静止している状態以外の場所でも、前後左右に移動することなく、安定的に置いた状態を維持する事を可能にしたものである。
【従来の技術】
（１）
従来は置く場所によって、安定性にばらつきが発生し、特に置いた場所の静止状態が確保できず、前後左右に動く場所では安定性を欠き、置いた物が移動したり、落下したりし、その結果壊れる物、例えばパソコン等の機械類が収納されていた場合は、落下する事により破損してしまう事もあり、それを防ぐ為に常時動かないように注意を払わなければならず、時には鞄そのものに触れて、移動を制御しなければならないという事で利便性に欠けていた。
【発明が解決しようとする課題】
（２）
そこでこの発明は上記の課題を解決するものであり、置く場所に関係なく、前後左右への移動をおさえることが出来る事を目的として作られたものである。
【課題を解決する為の手段】
（３）
この発明は鞄などを置いた時に接する（１）（４）の面に、滑り止めを施した素材（２）（２ａ）（２ｂ）（２ｃ）（６）を（３）（３ａ）（３ｂ）（３ｃ）（５）のように固定逢着する事により、前後左右への移動を制御することが出来る様にした物である。
（４）
また、滑り止め（２）（２ａ）（２ｂ）（２ｃ）（６）の下側に、弾力性の有るもの（７）を入れて、接する滑り止めの面（８）を凸状にして、滑り止めが確実に接地し、その効果が最大限発揮できるようにしたものである。
（５）
また、（８）の凸部分を固定する為、（５）（３）（３ａ）（３ｂ）（３ｃ）の生地を（７）の周囲に（９）のように逢着し、固定するものである。
【発明の効果】
この発明の鞄は以上に述べたように、滑り止め素材があらかじめ逢着してある為、自動車の座席、列車や電車の棚、膝の上等に置く時に、移動を押さえる為の特別な行為無くして、前後左右への移動を制御するという機能を発揮できるという面で、利便性に優れているものである。特に自動車の座席では効果が著しいものである。
【図面の簡単な説明】
【図１】この発明の滑り止めをつける場所の実施形態を示す斜示図である。
【図２】この発明の滑り止めをつける場所の実施形態を示す斜示図である。
【図３】この発明の滑り止めを凸状にした時の実施形態を示す斜示図である。
【符号の説明】
１      置くときの接地面
２      滑り止め
２ａ    滑り止め
２ｂ    滑り止め
２ｃ    滑り止め
３      滑り止め固定生地
３ａ    滑り止め固定生地
３ｂ    滑り止め固定生地
３ｃ    滑り止め固定生地
４      置くときの接地面
５      滑り止め固定生地
６      滑り止め
７      滑り止めを凸にする素材
８      滑り止め生地
９      滑り止め固定生地
１０    置くときの接地面
【図１】
2004154337.tif 000003
【図２】
2004154337.tif 000004
【図３】
2004154337.tif 000005
(57)【要約】【課題】握りの安定感、手首の安定度、体支持の安定感を増し、さらには腕から肘にかけての無駄な力を軽減する為に、突起の付いたＹ字型握り部を持つ杖の柄を提供する。【解決手段】この発明は杖の柄の握り部先端（１）横の側面に、突起（２）を付けることにより握り部をＹ字型にしたことを特徴とした杖の柄。【選択図】図１
2004154391.tif 000002
【特許請求の範囲】
【請求項１】
握り部の先端（１）横の側面に、突起（２）を付けることにより握り部をＹ字型にしたことを特徴とした杖の柄。
【発明の詳細な説明】
【０００１】
【発明が属する技術分野】この発明は杖の握り部位の一端の側面に突起を付けた杖の握り部に関するものである。
【０００２】
【従来の技術】従来から側面の形がＴ字形ないしは逆Ｌ字形で上からの平面形がＩ字形の杖は多々あった（例えば、特開平１１−１４４６８７や特開２０００−７００２１等）が、どの杖の握りも一本の棒状のＩ字型握り部を握る構造の杖であった。
【０００３】
【発明が解決しようとする課題】しかし、この一本の棒状のＩ字型握り部は握りを親指部と他の４指部の二点としてとらえる為に握りの安定感や手首の安定度が悪く、その事が体支持の安定度、特に横方向の安定度の弱さにつながっていた。
【０００４】
また、使用者が歩行時に杖を突く腕の形、手首の形、と杖のＩ字型に違和感が有り不自然さと使い勝手の悪さという問題があった。
【０００５】
この発明は握った場合に安定感があり、手首のふらつきを無くし、無駄な力を軽減して体に対して自然な機能を発揮する杖の握り部の提供を目的とする。
【０００６】
【課題を解決するための手段】
この発明は杖の柄の握り部先端（１）横の側面に、突起（２）を付けることにより握り部をＹ字型にしたことを特徴とした杖の柄。
【０００７】
この発明は握り部をＹ字型とした事により、手を三つの部位に機能分散し三点支持が実現し、握り、手首共に安定する。その三つの部位とは、一つは親指、二つ目は人差し指、三つ目は他の三指である。
【０００８】
又、杖を握ったとき一番安定感のある握りは、人差し指・中指が進行方向に向かう握りであり、そのとき体支持が最も安定する。
【０００９】
【発明の実施の形態】
図１はこの発明のＹ字型握り部の斜視図である。図２は上から見た平面図である。図３は突起部（２）から見た正面図である。図４は実際に握った状態の斜視図である。
【００１０】
この発明の杖のＹ字型握り部は、図１、図２、図３で図示したように、前方向先端（１）横の側面で、握った場合に人差し指と中指の間に位置する部位に、突起（２）を付けることを特徴とする。又、図４で示したように、太い部位（１）は親指と人差し指で握り、人差し指と中指で突起部（２）を挟み、他の三指で握り部後方（３）の裏面を軽く握る事により、手首も安定し自然と人差し指と中指が進行方向に向き安定感のある快適な握りが得られる。
【００１１】
更に、突起（２）から握り部後方（３）の側面には中指、薬指、小指が馴染み易いように波型の曲面を付け、握り部後方（３）の裏面には中指、薬指、小指の握りが安定するように窪みを付ける事が望ましい。
【００１２】
【発明の効果】
突起（２）を付け、握り部をＹ字型にする事により、握りの安定感が増し、手首のふらつきは無くなり、さらには腕から肘にかけても無駄な力が軽減され、疲労は格段に軽減し、体支持機能を主とした杖の機能は格段に向上する。
【図面の簡単な説明】
【図１】Ｙ字型握り部の斜視図である。
【図２】上から見た平面図である。
【図３】突起部（２）から見た正面図である。
【図４】握った状態の斜視図である。
【符号の説明】
１  先端部
２  突起部
３  後方握り部
【図１】
2004154391.tif 000003
【図２】
2004154391.tif 000004
【図３】
2004154391.tif 000005
【図４】
2004154391.tif 000006
(57)【要約】【課題】製造が煩雑な同心円状の櫛歯間隙を備えた梳き鋏と同様の使用感を有し、且つ製造容易な鋏を提供する。【解決手段】一端側に指孔部を設け、他方側に切り刃体を設けた二本の鋏部材で構成し、両鋏部材を交叉させると共に交叉部を枢結し、一方の鋏部材の切り刃体を櫛歯形状とした理容用梳き鋏において、櫛歯間隙２２を刃線ａに対して直角ｂより刃元側に後退傾斜させた直線溝に形成してなる【選択図】    図２
2004154303.tif 000002
【特許請求の範囲】
【請求項１】
一端側に指孔部を設け、他方側に切り刃体を設けた二本の鋏部材で構成し、両鋏部材を交叉させると共に交叉部を枢結し、一方の鋏部材の切り刃体を櫛歯形状とした理容用梳き鋏において、櫛歯間隙を刃線に対して直角より刃元側に後退傾斜させた直線溝に形成してなることを特徴とする理容用梳き鋏。
【請求項２】
後退傾斜角を５〜２０度としてなる請求項１記載の理容用梳き鋏。
【発明の詳細な説明】
【０００１】
【産業上の利用分野】
本発明は理容用梳き鋏に関するものである。
【０００２】
【従来の技術及び発明が解決しようとする課題】
理容用梳き鋏は、毛髪を間引くように切断するためのもので、基本的には二本の鋏部材の一方の切り刃体を櫛歯状に形成すると共に、各櫛歯体の先端に切り刃部を形成し、毛髪切断時に毛髪の一部が櫛歯間隙に逃げ、一部の櫛歯体の切り刃部と対抗刃体で挟まれる毛髪が、切断されるものである。
【０００３】
ところで梳き鋏での毛髪切断に際しては、櫛歯間隙に毛髪が順次侵入することになり、櫛歯間隙が刃縁に対して直交して形成されていると、櫛歯間隙に侵入した毛髪は、毛髪切断動作した手元側から順次鋏を刃先側に引っ張る作用が働くので、鋏の使用感を悪くさせる。このためこの毛髪の櫛歯間隙への侵入並びに間隙内の移動をスムーズに行うために、従前から櫛歯間隙を枢結軸と同心円状に形成している（実開昭５３−１１００８８号公報、実開平６−２６７６８号公報）。
【０００４】
しかし同心円状に櫛歯間隙を形成することは、製造上の煩雑さがある。即ち櫛歯間隙を切削加工で形成しようとした場合には、通常はワイヤ放電加工による間隙形成を行っている。特に砥石による切削加工を行おうとした場合には特殊形状（切削進行に間隙側壁に当接しない形状）の砥石が必要である。
【０００５】
そこで本発明は、製造が容易で且つ毛髪の櫛歯間隙内移動がスムーズになされ、使用感に優れた理容用梳き鋏を提案したものである。
【０００６】
【課題を解決するための手段】
本発明に係る理容用梳き鋏は、一端側に指孔部を設け、他方側に切り刃体を設けた二本の鋏部材で構成し、両鋏部材を交叉させると共に交叉部を枢結し、一方の鋏部材の切り刃体を櫛歯形状とした理容用梳き鋏において、櫛歯間隙を刃線に対して直角より刃元側に後退傾斜させた直線溝に形成してなることを特徴とするものである。
【０００７】
従って指孔部に指を装着し、開閉動作を行うことで毛髪の切断がなされるが、櫛歯体の切り刃部と対抗刃体とで挟まれた毛髪のみが切断され、櫛歯体より外れた毛髪は、櫛歯間隙に入り込み切断されないもので、特に切断箇所近傍の間隙内の毛髪は、鋏を刃先側に移動させる力が作用するが、切断後は何ら鋏に影響を与えないので、毛髪切断の力が加わる際に当該近傍において間隙侵入毛髪の影響が働くにすぎないので、充分同心円形状の櫛歯間隙の鋏と同様の使用感が得られる。
【０００８】
【実施の形態】
次に本発明の実施の形態について説明する。実施形態に示した理容用梳き鋏は、通常の梳き鋏と同様に一端側に指孔部１，１ａを設けると共に、他方側に切り刃体２，２ａを設けてなる二本の鋏部材Ａ，Ｂで構成され、両鋏部材Ａ，Ｂを中央部分で交叉させ、交叉部を枢結Ｃしたもので、一方の切り刃体２ａを先部まで櫛歯状にしたものである。
【０００９】
特に切り刃体２ａの櫛歯体２１と櫛歯間隙２２を形成するに際して、櫛歯間隙を刃線に対して直角より刃元側に後退傾斜させた直線溝に形成してなる。
【００１０】
前記の傾斜角度は、刃線ａに対して直交する角度ｂより角度ｃ（５〜２０度：８〜１０度が最適）だけ後退させたものである。
【００１１】
而して一般の理容用鋏と同様に指孔部１，１ａに指を装着して調髪を行うと、切り刃体２と、相対向する櫛歯体２１の切り刃部２３で挟まれた毛髪のみが切断され、櫛歯体２１より外れた毛髪は、櫛歯間隙２２に入り込み切断されないものである。
【００１２】
前記の櫛歯間隙２２は傾斜後退すると共に、直線溝としているので、同心円形状の櫛歯間隙と近似的形状となり、且つ櫛歯形成は砥石による切削加工で良く、鋏製造が容易になる。
【００１３】
【発明の効果】
以上のように本発明は理容用梳き鋏に於いて、櫛歯の櫛歯間隙を刃線に対して直角より刃元側に後退傾斜させた直線溝に形成してなるもので、円盤砥石手による切削加工で容易に製出できると共に、櫛歯間隙を同心円状に形成した鋏同様の使用感を得ることができたものである。
【図面の簡単な説明】
【図１】本発明の実施形態の全体図。
【図２】同櫛歯形状の拡大説明図。
【符号の説明】
Ａ，Ｂ      鋏部材
Ｃ          枢結
１，１ａ    指孔部
２，２ａ    切り刃体
２１        櫛歯体
２２        櫛歯間隙
２３        切り刃部
【図１】
2004154303.tif 000003
【図２】
2004154303.tif 000004
(57)【要約】【課題】合成繊維布のカラー印刷方法の提供。【解決手段】ロールに巻かれた合成繊維布を引き出してポリウレタン液に浸漬し、ポリウレタン液を合成繊維布の孔隙にしみ込ませ、さらに合成繊維布の表面を一層の液状のポリ塩化ビニルで被覆させ、液状のポリ塩化ビニルが乾いた後にローラで加圧し、表面に緻密なポリ塩化ビニル層を形成し、最後に合成繊維布の表面にカラー印刷を行う。以上の製造方法により、合成繊維布に連続印刷することができ、且つ最も良好な印刷質感を獲得でき、並びに真実性、芸術性及び立体効果の最良の表現を具備させることができる。【選択図】        図１
2004154985.tif 000002
【特許請求の範囲】
【請求項１】
（ａ）ロールに巻かれた合成繊維布を引き出してポリウレタン液に浸漬し、ポリウレタン液を合成繊維布の孔隙にしみ込ませるステップ
（ｂ）さらに合成繊維布の表面を一層の液状のポリ塩化ビニルで被覆させ、液状のポリ塩化ビニルが乾いた後にローラで加圧し、表面に緻密なポリ塩化ビニル層を形成するステップ
（ｃ）最後に合成繊維布の表面にカラー印刷を行うステップ
以上のステップを具えたことを特徴とする合成繊維布のカラー印刷方法。
【発明の詳細な説明】
【０００１】
【発明の属する技術分野】
本発明は一種の合成繊維布のカラー印刷方法に係り、特に、合成繊維布を先ずポリウレタン液に浸漬させてから一層のポリ塩化ビニルで被覆させ、さらにカラー印刷を行い、これにより合成繊維布に連続印刷できるようにし、且つ良好な印刷品質を得られるようにする合成繊維布のカラー印刷方法に関する。
【０００２】
【従来の技術】
一般に、布に図形や文字を印刷するには、直接布にスクリーン印刷機で印刷するか、或いは転写機で転写を行う。
【０００３】
しかし、布は編成の方式で構成され、布の表面は孔隙で満たされ、直接印刷を行うと、布の表面が十分には平滑でないため、印刷完成後の図形解析度が低くなり、最もリアリティーのある感覚を現出させることができない。
【０００４】
さらに、印刷に使用されるインクは布に吸収されず、インクが布の表面に付着しにくいため、印刷の品質が悪くなる。
【０００５】
また、カラー印刷は通常四色に分けられ、このため４回の印刷が必要であり、インクが完全に乾かないうちに次の色をのせる時は、インクが布に吸収されにくいために、インクが拡散したりパターンが曖昧になりやすく、これも同様に印刷品質不良の状況を形成しやすい。
【０００６】
このほか、スクリーン印刷機でカラー印刷を行う時の解析度は低く、乾燥速度が緩慢で四色印刷を行うことができず、ゆえに同期に連続印刷を行うことができず、ゆえに生産速度が下がり、このため製造コストと量産の時間が増す。
【０００７】
【発明が解決しようとする課題】
本発明は周知の布にカラー印刷を行う時の上述の数々の欠点を鑑み、一種の合成繊維布のカラー印刷方法を提供する。それは、ロールに巻かれた合成繊維布を引き出してポリウレタン液に浸漬し、ポリウレタン液を合成繊維布の孔隙にしみ込ませ、さらに合成繊維布の表面を一層の液状のポリ塩化ビニルで被覆させ、液状のポリ塩化ビニルが乾いた後にローラで加圧し、表面に緻密なポリ塩化ビニル層を形成し、最後に合成繊維布の表面にカラー印刷を行う。以上の製造方法により、合成繊維布に連続印刷することができ、且つ最も良好な印刷質感を獲得でき、並びに真実性、芸術性及び立体効果の最良の表現を具備させることができる。
【０００８】
ゆえに、本発明の主要な目的は、合成繊維布を先ずポリウレタン液に浸漬させてから一層のポリ塩化ビニルで被覆させ、最後にカラー印刷を行うことにより、合成繊維布に連続印刷できるようにし、且つ良好な印刷品質を得られるようにすることにある。
【０００９】
【課題を解決するための手段】
請求項１の発明は、
（ａ）ロールに巻かれた合成繊維布を引き出してポリウレタン液に浸漬し、ポリウレタン液を合成繊維布の孔隙にしみ込ませるステップ
（ｂ）さらに合成繊維布の表面を一層の液状のポリ塩化ビニルで被覆させ、液状のポリ塩化ビニルが乾いた後にローラで加圧し、表面に緻密なポリ塩化ビニル層を形成するステップ
（ｃ）最後に合成繊維布の表面にカラー印刷を行うステップ
以上のステップを具えたことを特徴とする合成繊維布のカラー印刷方法としている。
【００１０】
【発明の実施の形態】
図１に示されるように、本発明は以下の製造ステップで組成される。即ち、
（ａ）ロールに巻かれた合成繊維布１を引き出してポリウレタン液２に浸漬し、ポリウレタン液２を合成繊維布１の孔隙にしみ込ませる。
（ｂ）さらに合成繊維布１の表面を一層の液状のポリ塩化ビニル３で被覆させ、液状のポリ塩化ビニル３が乾いた後にローラ５で加圧し、表面に緻密なポリ塩化ビニル層４を形成する。
（ｃ）最後に合成繊維布１の表面にカラー印刷を行う。
【００１１】
【発明の効果】
以上の製造方法により、合成繊維布１をポリウレタン液２に浸漬し、ポリウレタン液２を合成繊維布１の孔隙にしみ込ませることにより、ポリウレタン液２を合成繊維布１の表面の孔隙に満たし、これにより合成繊維布１にインク吸収性を具備する緻密な表面を形成する。
【００１２】
合成繊維布１をポリウレタン液２に浸漬させてからポリ塩化ビニル層４で被覆する処理を行ってからカラー印刷を行うことにより、合成繊維布１の印刷面に細緻なカラーパターン或いは文字を印刷でき、これにより良好な印刷品質を得られる。並びに従来の技術では行えなかったが、紙やカタログのように直接四色印刷機で印刷が行え、印刷の品質とリアリティーを増加でき、さらに、量産が行え、生産品質を高めることができる。
【００１３】
さらに、該合成繊維布１はロールに巻かれており、ゆえに連続して引き出してポリウレタン液２に浸漬させると共にポリ塩化ビニル層４で被覆させられ、その後、さらに連続印刷機で連続印刷でき、これにより生産効率を高めることができ、製造コストを下げて市場での競争力を高めることができる。
【００１４】
以上をまとめると、本発明に記載の製造方法は従来にはなく、且つ確実に上述の効果を達成でき、特許の要件を具備するものである。
【図面の簡単な説明】
【図１】本発明の製造フロー表示図である。
【符号の説明】
１  合成繊維布
２  ポリウレタン液
３  液状のポリ塩化ビニル
４  ポリ塩化ビニル層
５  ローラ
【図１】
2004154985.tif 000003
(57)【要約】【課題】急性期の脳卒中などで足趾が麻痺したり、しびれを来たした時に履かせておくならば、早期回復に寄与することができ、既に尖足していてもそれ以上の尖足を防止することができるようにする。【解決手段】この発明に係る尖足防止サンダルは、足底板と５本の足趾を１本１本分けられる紐が足背を固定するバンド２に付いている。趾が大きくても太くても、また硬直のある程度激しい趾でも紐に装着可能である。４本の紐は締め具をスライドさせ調節することによって、ゆるめることも締めることも出来る。またバンドは接着布によって開閉可能に固定できるようになっているものである。【選択図】  図１
2004154584.tif 000002
【特許請求の範囲】
【請求項１】
足底板と、これに取り付けられた足を固定するバンドと、足趾の間に嵌めて掛ける少なくとも２本の紐で構成され、前端部が足底板に固定され、後端部がバンドに集束部で固定されている趾掛け紐と、趾掛け紐の集束部に嵌めた環状の締め具とによりなり、前記バンドは接合具によって開閉可能になっている尖足防止サンダル。
【発明の詳細な説明】
【技術分野】
【０００１】  本発明は、脳卒中などで足に麻痺やしびれを来たした場合、早い段階で良肢位を保つことができ、早期回復に寄与することができる。また既に尖足状態になってしまった足趾でも、１本１本分けることが出来る紐を動かすことによってサンダルの中に送趾をスムーズにし、固定することによって、徐々に趾を伸展させることのできる尖足防止サンダルに関するものである。
【背景技術】
【０００２】  従来のサンダルは、足趾を１本１本分けられるが、柔軟性に欠ける為、浮腫などで太くなった趾などはサンダルに送趾することがむずかしく、既に尖足してしまった趾などには装着不可能である。よって尖足してしまった足趾などは、介護者や本人のリハビリやマッサージの時だけの伸展に留まっており、常に良肢位を保持することができない。
【特許文献１】特開２００２−３４５５０１号公報
【発明の開示】
【発明が解決しようとする課題】
【０００３】  本発明は、急性期の脳卒中などで足趾が麻痺したり、しびれを来たした時などに履かせておくならば、早期回復に寄与することができる。また既に尖足していてもそれ以上の尖足を防止することができる尖足防止サンダルを提案する。
【課題を解決するための手段】
【０００４】  この発明に係る尖足防止サンダルは、足底板と５本の足趾を１本１本分けられる紐が足背を固定するバンドに付いている。趾が大きくても太くても、また硬直のある程度激しい趾でも、紐に装着可能である。４本の紐は締め具をスライドさせ調節することによって、ゆるめることも締めることも出来る。またバンドは、接合具によって開閉可能に固定できるようになっている。
【発明の効果】
【０００５】  本発明によれば、スムーズに足をサンダルに履かせることができ、また２４時間一定の良趾位を保持することができる。
【発明を実施するための最良の形態】
【０００６】  以下この発明を実施する為の最良の形態を実施例によって図１を参照しながら説明する。
図において１は足底板である。
２はこの足底板１に取り付けたバンドで、サンダルを履く時に足を掛ける為のものである。バンド２はバンド本体２ａと連結帯２ｂとにより構成され、連結帯２ｂは接着布５でバンド本体２ａに着脱可能に取り付けることができる。
３は足趾の間に嵌めて掛ける紐である。この実施形態では５本の趾の間に挟む為４本設けられている。４本の紐３の前端部３ａが足底板１に趾の間隔相当の間隔で固定されていて、後端部は紐４本を揃えて集束部３ｂとしバンド２の連結帯２ｂに固定されている。紐前端部をラバーで被覆してもよい。
４は紐の集束部３ｂに嵌めた環状の締め具である。この締め具は前後にずらすことによって４本の紐を締め付けることもでき、ゆるめることもできる。これによって４本の紐の締め具合を調節できる。
尚、このサンダルの形状構造は、手の指の矯正に応用できる。
【図面の簡単な説明】
【０００７】
【図１】実施例の尖足防止サンダルの斜視図である。
【符号の説明】
１、足底板
２、バンド
３、紐
４、締め具
５、接着布
【図１】
2004154584.tif 000003
【手続補正書】
【提出日】平成16年2月20日(2004.2.20)
【手続補正１】
【補正対象書類名】明細書
【補正対象項目名】〔０００６〕
【補正方法】追加
【補正の内容】
【０００６】（バンド２はバンド本体２ａと連結帯２ｂとにより構成され、…の末尾に）、尚、接着布５は片側だけにしても良いし、取り付け無くても良い。（これによって４本の紐の締め具合を調節できる。の後に）が、場合によっては、つけなくても良い。
(57)【要約】【課題】どんな厚手の書籍でも、また体位をどのようにしても、書籍が落下しないようにし、かっ等距離で読むことができるようにする。【解決手段】  書架本体と、これに立て架けて開いた書籍をばね付勢によって押さえる透明な押さえ板と、書架本体に連結した屈曲自在なアームと、アームをベッドのフレーム、机などに固定する固定具等によりなる書架スタンド。【選択図】  図１
2004154577.tif 000002
【特許請求の範囲】
【請求項１】
書架本体と、これに立て架けて開いた書籍をばね付勢によって押さえる透明な押さえ板と、書架本体に連結した屈曲自在なアームと、アームをベッドのフレーム、机などに固定する固定具等によりなる書架スタンド。
【発明の詳細な説明】
【技術分野】
【０００１】  本発明は、仰臥位、横臥位、またどんな姿勢になっても目線と一定の方向性を保ち、どんな厚手の書籍であっても不安定にならず、しっかり固定し、カバーをした儘字を追うことが出来るようにした書架スタンドに関するものである。
【背景技術】
【０００２】  ベッドに臥床した場合、書架の角度を自在に調節することができるが、横臥位ににった時、厚手の書籍は落下してしまう為、不安定である。
【発明の開示】
【発明が解決しようとする課題】
【０００３】  本発明は、どんな厚手の書籍でも、また、体位をどのようにしても書籍が落下しないようにし、かっ等距離で読むことが出来るようにする。
【課題を解決するための手段】
【０００４】  この発明に係る書架スタンドは、書架本体と、これに立て架けて開いた書籍をばね付勢によって押さえる透明は押さえ板と、書架本体に連結した屈曲自在なアームと、アームをベッドのフレーム、机などに固定する固定具とによりなる。
【発明の効果】
【０００５】  本発明は、寝ながらにして仰臥位、横臥位等どのような姿勢でも、書籍を読むことができる。
【発明を実施するための最良の形態】
【０００６】  以下この発明を実施するための最良の形態を実施例によって説明する。
１は書架本体である。これは、側面板１ａ、背面板１ｂ、底面板１ｃのある箱になつていて、書籍が左右から落下しないようになっている。
２は、前記背面板１ｂの上端縁に、ばね付勢して開閉可能に取り付けた透明な押さえ板である。この押さえ板２は、常時閉状態に保持されている。側面からみて上部が湾曲した板である。
３は、書架本体１の底面板１ｃにアームの上端部を取り付けた屈曲自在なものである。アームは背面板１ｂに取り付けることも出来る、４はアーム３をベッドのフレーム、机などに固定する万力形の固定具で、蝶ねじで回して固定できるようになっている。
実施例の書架スタンドは、上述のような構成となっているので、固定具４をベッドのフレームに固定すれば、装着できる。
書籍は、押さえ板２を上方に開けて底面板１ｃの上に載置することによって設置する。開いたページの固定は、開いた押さえ板２によって閉じないように押さえることができる。
ベッド上で書籍を読む時の姿勢によって、アーム３を曲げながら、書籍本体１の角度を設定する。
このようにしても、書籍は閉じることなく、読み易い位置と角度で読むことが出来る。
【図面の簡単な説明】
【０００７】
【図１】実施例の書架スタンドの斜視図である。
【符号の説明】
１．書架本体
２．押さえ板
３．アーム
４．固定具
【図１】
2004154577.tif 000003
【手続補正書】
【提出日】平成16年1月9日(2004.1.9)
【手続補正１】
【補正対象書類名】明細書
【補正対象項目名】０００６
【補正方法】追加
【補正の内容】
【０００６】（２は前記背面板１ｂ文章末尾に）尚、この押え板２は湾曲させずに、バネ付勢を無くし底面板１ｃとの間に固定具を付け固定させてもよい。
(57)【要約】【課題】身体を楽に洗える【解決手段】ステンレスパイプフレーム（１）に上下に移動できる駆動モーター（４）を取付け、その駆動モーター（４）にブラシ（３）を取付け上部駆動モーター（２）によってベルト（５）を介して駆動モーター（４）を吊り下げ上下移動、停止して自分の洗いたい所を洗うことができる。【選択図】    図１
2004154513.tif 000002
【特許請求の範囲】
【請求項１】
駆動モーター（４）に取り付けられた回転ブラシ（３）が上部駆動モーター（２）によって、ベルト（５）を介して吊り下げられ上下に移動できる。
【請求項２】
上下移動をスムーズに行えるように駆動モーター（４）の側面の両側に固定輪（７）、そして後方にも固定輪（６）を使用。
【請求項３】
回転ブラシ（３）が回転を始めると駆動モーター（４）は固定していないので回転方向に対して反転しようとするので、回り止めと安定を兼ねて駆動モーター（４）の側面の両側と後方に固定輪（６）（７）を縦一列に複数個使用。
【請求項４】
駆動モーター（４）にタイマーリレー（１１）を取付け数秒間隔で反転する。
【発明の詳細な説明】
【０００１】
【発明の属する技術分野】
本発明は、駆動モーター（４）により回転される回転ブラン（３）が上部駆動モーター（２）によりベルト（５）を介して上下に移動・停止出来る装置。その製造方法に関する。
【０００２】
【発明が解決しようとする課題】
従来の健康タオルでは自分から手を動かして身体全体を洗わねばならないと言う疲れる問題点があった。
【０００３】
本発明は縦に２本あるパイプ（１０）を両手で持ってパイプに取り付けている、上がる・下るのスイッチレバー（９）を押さえて身体の前全体、そして身体の後ろ、背中、お尻、身体の横も同様に一通り洗うことを目的として、その製造方法を提供することを目的としている。
【０００４】
【課題を解決する為の手段】
上記目的を達成するために本発明の身体洗い機は、風呂の洗い場でコンパクトな身体洗い機を取り付けたものである。
【０００５】
大変湿気が多いので錆なくて綺麗なパイプをと考えて、ステンレスメッキパイプ（１）を使用。高さ１７０ｃｍ、幅４０ｃｍ、奥行き２５ｃｍの大きさの身体洗い機を壁に取り付ける。
【０００６】
駆動モーター（２）（４）は防水で、円滑な動きを得るため駆動モーター（４）の両側と後方には固定輪を使用。
【０００７】
身体を洗って貰う立場からすると、出来るだけ気持ち良く心地よいほうがいいので回転ブラシ（３）の回転方向を一定方向だけでなく、５秒間隔で正回転・逆回転となるように駆動モーター（４）にタイマーリレー（１１）を使用。
一定方向だけでないので汚れも落ちる。
【０００８】
回転ブラシの材質はサイザル麻を使用。
【０００９】
【発明の実態の形態】
発明の実施の形態を実施例に基づき図面を参照しで説明する。
図１の駆動モーター（４）は上下に移動するため固定していません。
宙づり状態です。身体を洗う時に押し付けられても上下に移動でき、且つ安定させるために駆動モーター（４）の後方に固定輪（６）を複数個使用。そして身体を洗う時に回転ブラシ（３）は身体を押し付けられても回転しなければならないので、宙づり状態の駆動モーター（４）は回転方向に対して反動し、反転しようとするので駆動モーター（４）に廻り止めと上下移動をスムーズに行えるように、駆動モーター（４）の両側に縦一列に複数個、固定輪（７）を使用し、身体を押し付けても回転ブラシ（３）は回転し、上下移動もスムーズに思いのまま停止できる。上部駆動モーター（２）は上で固定しでおりベルト（５）を介して吊り下げて下の駆動モーター（４）を上下移動させます。高さ１７０ｃｍ、幅４０ｃｍ、奥行き２５ｃｍなので、コンパクトで場所を取りません。
【図面の簡単な説明】
【図１】身体洗い機全体の斜視図である。
【図２】身体洗い機フレームだけの斜視図である。
【図３】回転ブラシ駆動モーターの側面図である。
【図４】回転ブラシ駆動モーターの平面図である。
【図５】身体洗い機フレームの断面図である。
【図６】上部駆動モーターとベルトである。
【符号の説明】
１  フレーム
２  上部駆動モーター
３  回転ブラシ
４  回転ブラシ駆動モーター
５  ベルト
６  後方固定輪
７  側方固定輪
８  吊り下げフック
９  スイッチレバー
１０  取っ手
１１  タイマーリレー
【図１】
2004154513.tif 000003
【図２】
2004154513.tif 000004
【図３】
2004154513.tif 000005
【図４】
2004154513.tif 000006
【図５】
2004154513.tif 000007
【図６】
2004154513.tif 000008
【手続補正書】
【提出日】平成15年5月15日(2003.5.15)
【手続補正１】
【補正対象書類名】明細書
【補正対象項目名】特許請求の範囲
【補正方法】追加
【補正の内容】
【特許請求の範囲】
【請求項１】
駆動モーター（４）に取り付けられた回転ブラシ（３）が上部駆動モーター（２）によって、ベルト（５）を介して吊り下げられ上下に移動できる。
【請求項２】
上下移動をスムーズに行えるように駆動モーター（４）の側面の両側に固定輪（７）、そして後方にも固定輪（６）を使用。
【請求項３】
回転ブラシ（３）が回転を始めると駆動モーター（４）は固定していないので回転方向に対して反転しようとするので、回り止めと安定を兼ねて駆動モーター（４）の側面の両側と後方に固定輪（６）（７）を縦一列に複数個使用。
【請求項４】
駆動モーター（４）にタイマーリレー（１１）を取り付け、数秒間隔で反転する。
【請求項５】
回転ブラシ（３）は、特殊な形状で身体の前、後ろ、足の股間、腕の内側、脇等全て洗える形をしている。
【手続補正２】
【補正対象書類名】明細書
【補正対象項目名】０００８
【補正方法】変更
【補正の内容】
【０００８】回転ブラシ（３）は特殊な形をしていて背中を始めとして、お尻股間や脇など足から肩までの身体を一通り洗うことが出来、回転ブラシ（３）の材質も柔らかい豚の毛や馬の毛、サイザル麻など試みたがそれぞれ気持ち良く付け換えも簡単なので、硬いブラシ、柔らかいブラシと使い分けが出来る。


【手続補正３】
【補正対象書類名】図面
【補正対象項目名】図１
【補正方法】変更
【補正の内容】
【図１】
2004154513.tif 000009
【手続補正４】
【補正対象書類名】図面
【補正対象項目名】図３
【補正方法】変更
【補正の内容】
【図３】
2004154513.tif 000010
【手続補正５】
【補正対象書類名】図面
【補正対象項目名】図４
【補正方法】変更
【補正の内容】
【図４】
2004154513.tif 000011
(57)【要約】      （修正有）【解決手段】シャワー室や風呂場にボールを取り付け、ハンガーや洗濯ばさみ等に洗濯物を掛けた状態で、シャワーにより洗濯を行う。【効果】吊した状態でシャワー洗濯を行うので、しわにならず、排水する時間がいらず、手間がかからない。【選択図】図３
2004154517.tif 000002
【特許請求の範囲】
【請求項１】
シャワーにより洗濯をする設備用品
【発明の詳細な説明】
【０００１】
【発明品の特徴】
シャワー室や風呂場にシャワー洗濯設備のユニットを必要な部品だけ取り付け、シャワー洗濯と乾燥をします。使用しない時はシャワー室、サウナ室として多目的に使用出来、又、洗濯はポールを取り付けハンガーや吊り洗濯ばさみ等に掛け、白い物は上段、色物は中段ジーンズ物は下段、運動靴は下に置くと１度に洗濯が済み、しわにならず、シャワーの為  水を貯め排水する時間がいらなく、吊している事で、水分をおとし脱水が少なくて、衣類を痛めず手間も省ける洗濯法です。
【０００２】
【従来の品】
今の洗濯は洗濯機で洗濯をし乾燥機に移したり干したりたたんだりあっちこっちと異動させ  又、手間が掛かり、５〜６年で買い換えするなど粗大ゴミとしての環境問題になっている
【０００３】
【使用目的】
シャワー洗濯設備でシャワー洗濯と乾燥、シャワー室、サウナ室等に使用。
【０００４】
【この設備の利便性】
このシャワー設備はシャワー室や風呂場の壁を壊さずに上からユニットをかぶせることで工事の手間が省け配管や電気設備はユニットの裏にセッテングしておき必要なユニットの設置で済みシャワー室の中心にポールを取りはずし自由に出来、ハンガーや吊す洗濯ばさみの状態の洗濯、乾燥、収納のとなり手間いらず  しわ無し洗濯で、シャワーの水圧で汚れも取れる事です。
2004154517.tif 000003
【０００５】
【発明の効果】
５〜６年間隔で洗濯機の買い換えがなくなり粗大ゴミの減少になり最小減の設備（ユニット）を選ぶことで費用の節約と洗濯時間の減少、手間無し  しわ無し洗濯で  家事労働の手助けが出来ます。シャワー入浴も冬になるとお湯の使う時間が長くなるのがシャワー室で室内が温まるのでお湯の使う量が減り、節水にもなる。
【図面の簡単な説明】
【符号の簡単な説明】
▲１▼  側面メインユニットはタイマー、洗剤入れ、シャワー、サウナ設備等が完備
▲２▼  側面ユニットはシャワー、サウナ設備
▲３▼  ▲２▼に同じ
▲４▼  天井ユニットにはシャワーとポールのはめる所と乾燥機口
▲５▼  床ユニットはポールのはめる所と排水口
▲６▼  ドアー
▲７▼  ポールの穴で回転出来る
▲８▼  タイマー器具
▲９▼  洗剤入れ口
▲１０▼  サウナの吐き出し口
▲１１▼  シャワーが上下に動く
▲１２▼  乾燥機口
▲１３▼  ポール
▲１４▼  洗濯物
▲１５▼  排水口
▲１６▼  竿
【図１】
2004154517.tif 000004
【図３】
2004154517.tif 000005
【手続補正書】
【提出日】平成15年3月17日(2003.3.17)
【手続補正１】
【補正対象書類名】明細書
【補正対象項目名】図面の簡単な説明
【補正方法】変更
【補正の内容】
【図面の簡単な説明】
【図１】は▲１▼の側面メインユニット▲２▼の側面ユニット▲３▼の側面ユニット▲４▼の天井ユニット▲５▼の床ユニット▲６▼のドアー  等を組合せた立体図である
【図２】は▲１▼側面メインユニットで▲２▼▲３▼の側面ユニットの設備と、洗濯機のスイッチ、サウナスイッチ機能や洗剤入れ等設備の操作機能が内蔵されているのでメインユニットである▲２▼の側面ユニットは壁としての物である▲３▼は▲１▼の側面メインユニットと連結された設備で  シャワーとサウナ及び乾燥口設備がある▲４▼天井ユニットで天井からサウナ口、乾燥用吹き出し口、シャワー、洗濯物の干すポールの固定口を設ける▲５▼床ユニットで排水口とポールの固定口がある、各ユニットの大きや設備は自由に出来るもので風呂場を改造する時は▲１▼▲３▼▲４▼ユニットの組合せとなるなど場所や用途を選ばない
【図３】はシャワー洗濯をする時の図であるポールの中からも乾燥する風が出る様になる物で使用する人に合ったハンガーや干し方が出来る
【符号の説明】
▲１▼側面メインユニット（洗濯設備のスイッチ、洗剤入れ、シャワー、サウナ設備が完備）
▲２▼側面ユニットは壁とする
▲３▼側面ユニットはシャワー、サウナ、乾燥設備がある
▲４▼天井ユニットにはシャワーとポールの固定口、乾燥機口の設備
▲５▼床ユニットはポールの固定口と排水口の設備
▲６▼ドアー
▲７▼ポールの固定口と洗濯乾燥口
▲８▼洗濯、サウナ等スイッチ
▲９▼洗剤入れ口
▲１０▼サウナ口
▲１１▼シャワー
▲１２▼洗濯乾燥風口
▲１３▼ポール
▲１４▼洗濯物
▲１５▼排水口
▲１６▼物干し竿


【手続補正２】
【補正対象書類名】図面
【補正対象項目名】全図
【補正方法】変更
【補正の内容】
【図１】
2004154517.tif 000006
【図２】
2004154517.tif 000007
【図３】
2004154517.tif 000008
(57)【要約】【課題】従来のブックエンドは使用に於いて重いブックエンドを２個も使い何冊もの本をあちらこちらへ移動するときはかなり面倒であった【解決手段】本考案に於いては、本などをゴムベルトで縛る感覚であるためにその煩わしさから開放されるだけでなく小型で軽く  ファッショナブルである。【選択図】図４
2004154509.tif 000002
【特許請求の範囲】
【請求項１】
一枚のフィルム状の金属又はプラスチックス等のスプリングになりうる物質からなる本、ＣＤケース、ＤＶＤケース立て。
【発明の詳細な説明】
【０００１】
【発明の属する技術分野】
本発明は、ブックエンドに関する。
【０００２】
【従来の技術】従来ブックエンドといわれるものは、金属又は石等の重い支えを立てるべき本の両脇より押しつけるものであった。
【０００３】
【発明が解決しようとする課題】
机の上、床などに乱雑に置かれている本、ＣＤケース、ＤＶＤケース等はもともと、ばらばらになりがちなものである。
そこで、在来のブックエンドを用いようとすると、左右からバランスを考慮しながら押さなくてはならなかった、又テレビの上等のあまり広くなくしかも高い場所では在来のブックエンドは落下する懼れもあった。
立てるものがなにも無くなりブックエンドが必要なくなったときは邪魔でさえあった。
【０００４】
【課題を解決するための手段】
そこで本発明は上記課題を解決するために図１．フィルム状金属ロール、
又は、スプリング加工できうる素材を円筒状に巻きつけ加工し、その反発力を利用し左右から、本、ＣＤケース、ＤＶＤケース等を挟み込み、自立困難なそれ等の自立を補助する発明である。
また、本発明は一本のトルクゼンマイで成立するため，仕舞うときも手のひらに乗るほどの小ささに巻き戻すことができる。
【０００５】
【発明の実施の形態】
以下、本発明の実施の形態を図１〜図４に基づいて説明する。
【０００６】図において、１は使用される前の基準形態である。
【０００７】図２に於いて使用準備の為のコイルの先端部より一巻き分程巻き分けたものである。
【０００８】図３に於いて複数枚の本、ＣＤケース、ＤＶＤケース等を挟む場合と取り出す時。
【０００９】図４に於いて複数の本、ＣＤケース、ＤＶＤケース等の安定した状態。
【００１０】
【発明の効果】
上述したように本発明のブックエンドは本、ＣＤケース、ＤＶＤケース等をスプリングのトルクにより挟み込む
ものである為、テレビジョンの上面、机の端等、あまりスペースの無いところに、必要な枚数、冊数の挟着物を簡単に設置し又移動できうる。
本発明は本、ＣＤケース、ＤＶＤケース等に比して小型なため目障りにならない使用が可能である。
【図面の簡単な説明】
【図１】本発明の立てた状態の正面斜め上方から見た外観図
【図２】同発明の巻き分けた横に伏せた状態の同正面外観図
【図３】同発明にＣＤケースを立てかけているところの正面図
【図４】同発明の使用図
【図１】
2004154509.tif 000003
【図２】
2004154509.tif 000004
【図３】
2004154509.tif 000005
【図４】
2004154509.tif 000006
(57)【要約】      （修正有）【課題】この発明は、指先が不自由な人でも、安易にゴム栓付き薬液瓶に針がさせる装置に関するものである。【解決手段】本体部（１）に、薬品瓶をセットするための薬液瓶溝（２）、ゴム栓に針を刺すための移動するホルダー部（３）、ゴム栓に針を刺すためのレバー（４）を設ける。【選択図】図１
2004154503.tif 000002
【特許請求の範囲】
【請求項１】
（イ）本体部１に保護キャップ外し部２を設ける。
（ロ）本体部１に薬液瓶溝３を設ける。
（ハ）本体部１に移動するホルダー部４を設ける。
（ニ）本体部１にレバー６を設ける。
（ホ）本体部１にキャップ外し部５を設ける。
以上の如く構成された薬液瓶簡易接続装置。
【発明の詳細な説明】
【０００１】
【発明に属する技術分野】
本発明は、指先が不自由な人でも、ゴム栓付き薬液瓶を安易に針をさせる装置に関するものである。
【０００２】
【従来の技術】
現在、指先の不自由な人（リウマチ患者等）が、自分で注射を行おうとするとき、ゴム栓付き薬液瓶に注射針を刺そうとしても、薬液瓶を固定することや、注射針を差し込むことが困難であり、もたつくことで注射針やゴム栓が汚染され感染症の危険があったり、自分への針刺しの危険があった。又、指に力がはいらない者にとっては、ゴム栓に針を刺すことや注射針プロテクターキャップを外すことすらできなかった。
【０００３】
【発明が解決しようとする課題】
本発明は、指先の不自由な人でも安易に、かつ安全にゴム栓に針を刺せ、指先の力が入らない人でも安易に注射針プロテクターキャップを外すことができる装置である。
【０００４】
【課題を解決するための手段】
いま、その構成を説明すると、
（イ）本体部１にゴム栓保護キャップを外す保護キャップ外し部２を設ける。
（ロ）本体部１に薬品瓶をセットするための薬液瓶溝３を設ける。
（ハ）本体部１にゴム栓に針を刺すための移動するホルダー部４を設ける。
（ニ）本体部１にゴム栓に針を刺すためのレバー６を設ける。
（ホ）本体部１に注射針プロテクターキャップを外すキャップ外し５を設ける。
以上のように装置する。
【０００５】
【発明の実施の形態】
次に本発明の実施の形態を述べると、薬液瓶７の保護キャップ外し部２は薬液瓶保護キャップ８を溝に入れると引っかかり部があるので、ひねるだけで簡単に外せる。薬液瓶７は、細かな位置決めを求めることなくホルダー部４へ入れるだけで位置決めができる。ゴム栓９に針を刺す行為は、テコの原理を応用したレバー６を下げるだけで、硬いゴム栓９だろうと簡単に針と接続できる。汚染防止や針刺し防止のため設けている注射針プロテクターキャップ１０を外す行為は、テーパーを設けたキャップ外し部５に注射針１１と注射針プロテクターキャップ１０の接続部段差溝をキャップ外し部５にセットし、上からレバー６を下げるだけで簡単に外せる。
【０００６】
【発明の効果】
したがって、指先の不自由な人や指先に力の入らない人（リウマチ患者等）がゴム栓に注射針を刺す場合や、通常に硬いゴム栓に針を差し込む場合においても、細かな位置決め作業や力を必要とせず、安全に、確実にゴム栓に針を刺すことができる。同様に指先に力の入らない人や、危険な液体が入った注射器より力を必要とせず、安全にキャップを外せる装置である。
【図面の簡単な説明】
【図１】本発明の斜視図
【図２】本発明の使用斜視図
【符号の説明】
１は本体部
２は保護キャップ外し部
３は薬液瓶溝
４はホルダー部
５キャップ外し部
６はレバー
７は薬液瓶
８は薬液瓶保護キャップ
９はゴム栓
１０は注射針プロテクターキャップ
１１注射針
【図１】
2004154503.tif 000003
【図２】
2004154503.tif 000004
【手続補正書】
【提出日】平成15年2月13日(2003.2.13)
【手続補正１】
【補正対象書類名】明細書
【補正対象項目名】特許請求の範囲
【補正方法】変更
【補正の内容】
【特許請求の範囲】
【請求項１】
（イ）本体部１に薬液瓶溝２を設ける。
（ロ）本体部１に移動するホルダー部３を設ける。
（ハ）本体部１にレバー４を設ける。
以上の如く構成された薬液瓶簡易接続装置。
【手続補正２】
【補正対象書類名】明細書
【補正対象項目名】０００３
【補正方法】変更
【補正の内容】
【０００３】
【発明が解決しようとする課題】
本発明は、指先の不自由な人でも安易に、かつ安全にゴム栓に針を刺せる装置である。


【手続補正３】
【補正対象書類名】明細書
【補正対象項目名】０００４
【補正方法】変更
【補正の内容】
【０００４】
【課題を解決するための手段】
いま、その構成を説明すると、
（イ）本体部１に薬液瓶溝２を設ける。
（ロ）本体部１に移動するホルダー部３を設ける。
（ハ）本体部１にレバー４を設ける。
以上のように装置する。


【手続補正４】
【補正対象書類名】明細書
【補正対象項目名】０００５
【補正方法】変更
【補正の内容】
【０００５】
【発明の実施の形態】
次に本発明の実施の形態を述べると、薬液瓶６は、細かな位置決めを求めることなくホルダー部３へ入れるだけで位置決めができる。ゴム栓５に針を刺す行為は、テコの原理を応用したレバー４を下げるだけで、硬いゴム栓５だろうと簡単に針と接続できる。


【手続補正５】
【補正対象書類名】明細書
【補正対象項目名】０００６
【補正方法】変更
【補正の内容】
【０００６】
【発明の効果】
したがって、指先の不自由な人や指先に力の入らない人（リウマチ患者等）がゴム栓に注射針を刺す場合や、通常に硬いゴム栓に針を差し込む場合においても、細かな位置決め作業や力を必要とせず、安全に、確実にゴム栓に針を刺すことができる。


【手続補正６】
【補正対象書類名】明細書
【補正対象項目名】図面の簡単な説明
【補正方法】変更
【補正の内容】
【図面の簡単な説明】
【図１】本発明の斜視図
【図２】本発明の使用斜視図
【符号の説明】
１は本体部
２は薬液瓶溝
３はホルダー部
４はレバー
５はゴム栓
６は薬液瓶


【手続補正７】
【補正対象書類名】図面
【補正対象項目名】図１
【補正方法】変更
【補正の内容】
【図１】
2004154503.tif 000005
【手続補正８】
【補正対象書類名】図面
【補正対象項目名】図２
【補正方法】変更
【補正の内容】
【図２】
2004154503.tif 000006